(57)【特許請求の範囲】
【請求項１】
装置全体を制御する一つの主制御手段と、前記主制御手段へ電源を供給する電源手段と、前記主制御手段による制御下で回線を介して通信を行う通信手段と、少なくとも前記回線からの着呼を含む所定の動作を検知する検知手段と、この電源手段から前記主制御手段への電源供給を所定の条件下で停止しかつ前記検知手段が前記所定の動作を検知したならば前記電源を供給する省エネルギー制御手段と、を具備し、前記省エネルギー制御手段は、前記通信手段の通信モードが前記回線からの着呼の検知から所定時間内に応答が必要な特定の通信モードであるならば前記所定の条件であっても電源供給を停止しないことを特徴とする複合機。
【請求項２】
特定の通信モードは、ファクシミリ通信網を使用する通信モードであることを特徴とする請求項１記載の複合機。
【請求項３】
特定の通信モードは、発信者番号通知サービスを使用する通信モードであることを特徴とする請求項１または請求項２記載の複合機。
【請求項４】
所定の条件は、特定キーが押されたことであることを特徴とする請求項１から請求項３のいずれかに記載の複合機。
【請求項５】
所定の条件は、動作が無い状態で所定時間が経過したことであることを特徴とする請求項１から請求項３のいずれかに記載の複合機。
【発明の詳細な説明】
【０００１】
【発明の属する技術分野】
本発明は、省エネルギーモードを備えた複合機に関する。
【０００２】
【従来の技術】
従来、複合機において省エネルギーモードとして、（１）パワーセーブモード、（２）スリープモードおよび（３）オートセーブモードの３つのモードがある。パワーセーブモードとは、プリンタ部の定着器温度を通常の定着温度よりも低い温度に維持することをいい、定着器の加熱に要する電力を削減するとともに定着温度への早期復帰を実現している。スリープモードとは、定着器への通電をオフすることをいい、定着温度への早期復帰は難しいがより一層の省電力を図っている。オートオフモードとは、省エネルギー制御およびその解除に使用する最低限の電気回路以外への電源供給を停止することをいい、最も高い省電力を達成できる。
【０００３】
オートオフモードについてさらに詳細に説明する。図７は、従来の複合機におけるオートオフモード制御のための構成を示すブロック図である。従来の複合機１０００は、スキャナ１００１およびプリンタ１００２を制御してコピア機能を実現する＃１ＣＰＵ１００３と、ＦＡＸモデム１００４を制御して電話網１００５を介してファクシミリ通信を行う、ＦＡＸ機能を実現する＃２ＣＰＵ１００６と、操作パネル１００７を制御してオペレータからの操作を受け付けるパネル制御のための＃３ＣＰＵ１００８とで構成されている。パネル制御のための＃３ＣＰＵ１００８は、電源１００９から＃１、＃２ＣＰＵ１００３、１００６への電源供給を切断するスイッチ（ＳＷ）１０１０、１０１１に対して制御可能に接続されており、オートオフモードでは、ＳＷ１０１０、１０１１で電源供給を切断し、＃３ＣＰＵ１００８だけが電源供給を受けて、操作パネル１００７を介したオペレータからのオートオフモードの解除を受けられるようになっている。
【０００４】
【発明が解決しようとする課題】
従来の複合機１０００において、オートオフモードでは、＃１、＃２ＣＰＵ１００３、１００６への電源供給を切断しているため、オートオフモードを解除し復旧した場合、電源供給が再開して、＃１、＃２ＣＰＵ１００３、１００６が初期設定動作およびプログラムの起動を行い、複合機１０００が正常に動作可能な状態になるまでに１０秒程度の時間が必要である。
【０００５】
このような復旧所要時間があると次のような問題が発生する。すなわち、＃２ＣＰＵ１００６およびＦＡＸモデム１００４を用いた通信では、着信から所定時間内に応答する必要がある特定の通信モードが存在する。例えばＦ網通信および発信者番号通知（ナンバーディスプレイ）サービスである。Ｆ網通信の場合、Ｆ網からの着信があると６秒以内に応答する必要がある。一方、発信者番号通知の場合、交換機から発信者番号を通知するための呼出信号が送出されるが、この呼出信号に対して６秒以内に応答する必要がある。
【０００６】
しかし、複合機１０００がオートオフモードに移行していると、上述のように着信から複合機１０００が動作可能となるまで約１０秒の時間を要するので、Ｆ網通信の場合、Ｆ網からの着信に対して一次応答が間に合わず、また、発信者番号通知の場合、呼出信号に対する応答が間に合わず、いずれの場合においても通信を実行できないという問題がある。
【０００７】
従来の複合機１０００では、＃１〜＃３ＣＰＵ１００３、１００６、１００８で個々に分担して制御しているので、オートオフモードに移行してもＦＡＸ制御を担当する＃２ＣＰＵ１００６への通電を維持することで対処することが考えられるが、その分だけ省エネルギー効率が低下する。
【０００８】
一方、製品コストの削減および製品の小型化を実現するために、複合機の各部を制御するＣＰＵを１つに集約することが検討されている。ＣＰＵを１つにした場合、オートオフモードでは、省エネルギー制御回路を除く全ての制御部が停止しているので、上述のＣＰＵを複数備えた場合と同様に、復旧に約１０秒かかり、Ｆ網や発信者番号通知に応答することができない。このような特殊通信に対応するためのＣＰＵや回路を別に設けることも可能であるが、これでは装置コストの低減および装置の小型化を図ることができないという問題が生じる。
【０００９】
本発明は、かかる点に鑑みてなされたものであり、消費電力の低減を図るとともに、特定の通信モードにも確実に対応できる複合機を提供することを目的とする。
【００１０】
【課題を解決するための手段】
この課題を解決するために、複合機の電源手段から主制御手段への電源供給を所定の条件下で停止しかつ検知手段が少なくとも回線からの着呼を含む所定の動作を検知したならば電源を供給する省エネルギー制御手段が、通信手段の通信モードが回線からの着呼の検知から所定時間内に応答が必要な特定の通信モードであるならば所定の条件であっても電源供給を停止しないこととした。
【００１１】
これにより、着呼の検出から所定時間内に応答が必要な特定の通信モードが設定されている場合には、所定の条件であっても電源供給を停止しないこととしたので、この特定の通信モードでは主制御手段は着呼の検出から所定時間内に通信プログラムを立ち上げて必ず応答できるので、応答遅れのために特定の通信モードを実行できないという不都合を回避することができる。
【００１２】
【発明の実施の形態】
本発明の第１の態様に係る複合機は、装置全体を制御する一つの主制御手段と、前記主制御手段へ電源を供給する電源手段と、前記主制御手段による制御下で回線を介して通信を行う通信手段と、少なくとも前記回線からの着呼を含む所定の動作を検知する検知手段と、この電源手段から前記主制御手段への電源供給を所定の条件下で停止しかつ前記検知手段が前記所定の動作を検知したならば前記電源を供給する省エネルギー制御手段と、を具備し、前記省エネルギー制御手段は、前記通信手段の通信モードが前記回線からの着呼の検知から所定時間内に応答が必要な特定の通信モードであるならば前記所定の条件であっても電源供給を停止しないこととする構成を採る。
【００１３】
この構成により、着呼の検出から所定時間内に応答が必要な特定の通信モードが設定されている場合には、所定の条件であっても電源供給を停止しないこととしたので、この特定の通信モードでは主制御手段は着呼の検出から所定時間内に通信プログラムを立ち上げて必ず応答できるので、応答遅れのために特定の通信モードを実行できないという不都合を回避することができる。
【００１４】
本発明の第２の態様は、第１の態様において、特定の通信モードは、ファクシミリ通信網を使用する通信モードであることとした。
【００１５】
ファクシミリ通信網を使用する場合には着呼から約６秒以内に応答する必要がある一方、電源の供給を停止していた場合着呼の検出から主制御手段へ電源を供給し、初期設定の確認や初期動作のためのプログラムの立ち上げを行い、さらにその後に通信プログラムを実行することができない。従って、着呼後に約１０秒の時間が必要となるので、電源の供給を停止する省エネルギーモードに移行するとファクシミリ通信網に対応できる機能を備えていても通信を実行できない。そこで、この第２の態様の構成により、通信モードがファクシミリ通信網を使用する通信モードに設定されている場合には、所定の条件であっても電源供給を停止せずに通信が優先されるので、ファクシミリ通信網を使用する通信モードを実行できないという不都合を回避することができる。
【００１６】
本発明の第３の態様は、第１の態様において、特定の通信モードは、発信者番号通知サービスを使用する通信モードであることとした。
【００１７】
発信者番号通知サービスでは着呼から約６秒以内に応答する必要がある一方、電源の供給を停止していた場合着呼の検出から主制御手段へ電源を供給し、初期設定の確認や初期動作のためのプログラムの立ち上げを行い、さらにその後に通信プログラムを実行することができない。従って、着呼後に約１０秒の時間が必要となるので、電源の供給を停止する省エネルギーモードに移行すると発信者番号通知サービスに対応できる機能を備えていても通信を実行できない。そこで、この第３の態様の構成により、通信モードが発信者番号通知サービスを使用する通信モードに設定されている場合には、所定の条件であっても電源供給を停止せずに通信が優先されるので、発信者番号通知サービスを使用する通信モードを実行できないという不都合を回避することができる。
【００１８】
本発明の第４の態様は、第１〜第３の態様において、所定の条件は、特定キーが押されたこととした。
【００１９】
この構成により、特定の通信モードが設定されている場合には電源の供給を停止する省エネルギーモードへの移行を強制的に禁止するので、オペレータが特定のキーによりを指示したとしても省エネルギーモードに移行しない。従って、オペレータが特定の通信モードが設定されているか否か確認するまでもなく、装置の方が自動的に判断するので、操作性を向上することができる。
【００２０】
本発明の第５の態様は、第１〜第３の態様において、動作が無い状態で所定時間が経過したことであることとした。
【００２１】
この構成により、特定の通信モードが設定されている場合には電源の供給を停止する省エネルギーモードへの移行を強制的に禁止するので、所定時間経過後に自動的に省エネルギーモードに移行するように設定されていても、特定の通信モードが設定されていれば、省エネルギーモードに移行せず、通信が優先される。従って、オペレータが特定の通信モードが設定されているか否か確認するまでもなく、省エネルギーモードへの自動移行を有効に設定しても、装置の方が自動的に判断するので、操作性を向上することができる。
【００２２】
以下、本発明の実施の形態について、図面を参照して詳細に説明する。
図１は、本発明の実施の形態に係る複合機の全体構成を示すブロック図である。
複合機１００は、主制御部２００、ファクシミリ制御部３００、フラットベッドスキャナ４００、レーザープリンタ５００、コントロールパネル６００、ＡＤＦ（オートドキュメントフィーダ）制御部７００および省エネ制御部８００で構成されている。
【００２３】
省エネ制御部８００は交流電源８０１に接続されている。省エネ制御部８００に設けられた直流電源回路８０２は、交流電源８０１からの給電を直流に変換する。直流電源回路８０２から複合機１００各部への通電系は大きく２つの経路に分けられる。一つは、省エネルギーモードにおいて通電が切断される省エネ通電系１０１であり、もう一つは、いずれの省エネルギーモードにおいても常時通電が行われる常時通電系１０２である。省エネ通電系１０１には、直流電源供給制御回路８０３が設けられている。この直流電源供給制御回路８０３は、省エネルギー制御回路８０４の制御下で省エネ通電系１０１への電源供給を通電および切断する。省エネルギー制御回路８０４は、省エネルギーモードへ移行すべきか否かおよび省エネルギーモードを解除すべきか否かを判定し、その結果に応じて各部への通電の切断／接続を切り換えるように直流電源供給制御回路８０３を制御する。この省エネルギー制御回路８０４には、常時通電系１０２が接続され、常に通電が行われている。常時通電系１０２は、省エネルギーモードからの復旧に必要な最小限の回路等、例えば、ファクシミリ制御部３００中の着呼検出回路３０１およびＡＤＦ制御部７００に接続されている。省エネ通電系１０１は、その他の各部、すなわち、主制御部２００、フラットベッドスキャナ４００、レーザープリンタ５００、および、ファクシミリ制御部３００に夫々接続さている。
【００２４】
主制御部２００は、ＣＰＵ２０１、ＡＤ変換回路２０２、画像処理回路２０３、画像格納用ページメモリ２０４、ＣＰＵ用不揮発メモリ２０５および第１、第２周辺制御回路２０６、２０７を備えている。第１周辺制御回路２０６は、ファクシミリ制御部３００の着呼検出回路３０１から着呼検出信号が入力され、かつＤＰ発呼回路３０２に対して制御信号を出力するようになっているとともに、省エネルギー制御回路８０４と通信を行うようになっている。一方、第２周辺制御回路２０７は、レーザープリンタ５００およびコントロールパネル６００の表示器６０１およびキー入力部６０２と通信を行うようになっている。
【００２５】
ファクシミリ制御部３００は、ＦＡＸモデム３０３と、ＦＡＸ用不揮発メモリ３０４と、アナログアンプ３０５と、スピーカ３０６と、ＤＰ発呼回路３０２、着呼検出回路３０１、絶縁トランス３０７および網制御部（ＮＣＵ）３０８とを具備する。
【００２６】
フラットベッドスキャナ４００は、光源４０１と、原稿を走査するためのモーター４０２と、ＣＣＤ４０３およびアンプ４０４を備えた画像信号読取部４０５と、光源４０１およびモーター４０２を制御するスキャナ制御部４０６と、原点検出およびカバー開閉を検出するスキャナ検出部４０７と、を備えている。
【００２７】
レーザープリンタ５００は、用紙サイズの有無検出、給紙、レーザー記録、現像制御、転写、定着、モーター制御などを行うプリンタ制御部５０１を備えている。レーザープリンタ５００には、ヒータ（図示せず）を備えた定着器５０２が設けられている。
【００２８】
コントロールパネル６００は、表示器６０１およびキー入力部６０２を備えている。また、オペレータによる省エネルギー移行および解除の指示を行うための省エネルギー移行ボタン６０３および省エネルギー解除ボタン６０４を備え、指示内容を省エネ制御部８００の省エネルギー制御回路８０４に伝えるようになっている。また、コントロールパネル６００に設けられた電源スイッチ（電源ＳＷ）６０５は、直流電源回路８０２に接続されており、複合機１００全体の電源供給を接続・切断することができる。
【００２９】
また、ＡＤＦ制御部７００は、自動原稿送り機構（ＡＤＦ）７０１と、原稿有無検出回路７０２とを備え、自動原稿送り機構７０１の原稿載置台（図示せず）上の原稿の有無を検出し、省エネルギー制御回路８０４へ送信するように構成されている。
【００３０】
以下、上述のような構成からなる複合機１００での省エネルキー制御について説明する。
まず、本実施の形態に係る複合機１００での通信および省エネルギーに関係するパラメータの設定例について説明する。
【００３１】
図２は、上記実施の形態に係る複合機における通信に関係するパラメータの設定例を示す図であり、図３は、上記実施の形態に係る複合機における省エネルギーに関係するパラメータの設定例を示す図である。
【００３２】
図２に示すように、複合機１００は、Ｆ網（Ｆネットともいう）および発信者番号通知の２つの特殊通信モードに対応し、これらの機能を有効（１：有り）にするか無効（０：なし）にするか設定できるようになっている。Ｆ網（Ｆネット）は、日本電信電話株式会社（ＮＴＴ）が提供するファクシミリ通信網であり、発信番号者通知とは、一般にナンバーディスプレイやコーラーＩＤとも呼ばれ、交換機から所定の信号を送信して発信元の電話番号を相手先に伝えるための技術である。
【００３３】
また、図３に示すように、複合機１００は、設定した移行時間が経過したならば、パワーセーブ、スリープ、オートオフの３つの省エネルギーモードに自動的に移行することができるとともに、コントロールパネル６００に設けられた省エネルギー移行ボタン６０３を押すことで設定した省エネルギーモードに手動で移行することができるようになっている。
【００３４】
上記の構成からなる複合機１００における、省エネルギー制御について説明する。図４は、上記実施の形態に係る複合機における省エネルギー制御を示すフロー図である。
【００３５】
複合機１００の電源スイッチ６０５がオンされると（ステップ（以下、ＳＴという）４０１）、ＣＰＵ２０１はイニシャル処理を行う（ＳＴ４０２）。イニシャル処理では、ＣＰＵ２０１は、周辺回路の初期化、電源の立ち上げ、電源供給の開始、処理タスクの起動、レーザープリンタ５００の定着器５０２のヒートアップ開始等を行う。次いで、ＣＰＵ２０１は、コントロールパネル６００の表示器６０１に「ウォームアップ中」という初期画面を表示する（ＳＴ４０３）。
【００３６】
次に、機構制御部の初期化処理を行う（ＳＴ４０４）。このステップでは、フラットベッドスキャナ４００およびレーザープリンタ５００の機構部の動作確認が自己診断により行なわれる。ＳＴ４０４の初期化処理において、エラーが発生したか否か判定する（ＳＴ４０５）。Ｙｅｓであれば、表示器６０１にエラー内容を表示し（ＳＴ４０６）、複合機１００の全ての動作を停止する、全停止処理を実行し（ＳＴ４０７）、復旧を待つ（ＳＴ４０８）。
【００３７】
ＳＴ４０５でＮｏであれば、定着器５０２でのヒートアップが終了したか否か判定し（ＳＴ４０９）、Ｎｏであればヒートアップが終了するまでＳＴ４０５およびＳＴ４０９のステップを繰り返す。Ｙｅｓであれば、複合機１００の動作準備が完了した、すなわちレディ状態を表示器６０１に表示する（ＳＴ４１０）。
【００３８】
以降のステップでは、省エネルギー制御回路８０４が省エネルギー制御を行う。ＳＴ４０９でヒートアップの終了が確認され、ＳＴ４１０でレディ状態表示が行われたならば、省エネルギー制御回路８０４は、ＣＰＵ２０１が内蔵するタイマ２０１ａを起動する（ＳＴ４１１）。次いで、省エネルギー状態を解除する条件が揃ったか否か判定を行う（ＳＴ４１２）。ここでは説明の便宜上、省エネルギー状態を解除する条件は揃っていないと仮定し、この判定については後述する。次に、スキャン、コピア、ＦＡＸなどの動作指示や、例えばフラットベッドスキャナ４００のカバーを開いたことや、自動原稿送り機構７０１の原稿載置台に原稿がセットされた（原稿有無検出回路７０２が検知した）といった操作があったか否か判定する（ＳＴ４１３）。ここでも、説明の便宜上、動作または操作はなかったものと仮定し、この判定については後述する。
【００３９】
その後、ＣＰＵ２０１は、省エネルギー処理（手動）（ＳＴ４１４）および省エネルギー処理（自動）（ＳＴ４１５）を行う。これらの処理について図５、６を参照して説明する。
【００４０】
まず、省エネルギー処理（手動）について説明する。図５は、上記実施の形態に係る複合機における省エネルギー処理（手動）を示すフロー図である。省エネルギー制御回路８０４は、まず手動移行条件Ａが成立するか否か判定する（ＳＴ５０１）。条件Ａとは、次の３つの項目の全てが成立している場合をいう。
【００４１】
（１）図３に示す省エネルギーモード設定において手動省エネ移行の設定項目が“０”、すなわち禁止でないこと、
（２）現在の省エネルギー状態が「パワーセーブ」または「スリープ」のいずれの状態でもないこと、および
（３）省エネルギー移行ボタン６０３が押されたこと。
【００４２】
もし条件Ａが成立しなければ、省エネルギー処理（手動）を終了し、ＳＴ４１５の省エネルギー処理（自動）へ移行する。
【００４３】
一方、条件Ａが成立したならば、図３に示す省エネルギーモード設定において、手動省エネ移行の設定項目が“１”、すなわちパワーセーブであるか否か判定する（ＳＴ５０２）。Ｙｅｓであれば、省エネルギー制御回路８０４は、ＣＰＵ２０１に対して、定着器５０２のヒーターを定着温度よりも低い所定の温度（以下、単に低温ともいう）に維持する温度制御に切り換えるように指示する（ＳＴ５０３）。ＣＰＵ２０１は、この指示に従って、レーザープリンタ５００に対して、定着器５０２のヒータ温度を低温で維持するように命令する。次に、タイマ２０１ａを再スタートし（ＳＴ５０４）、処理を終了する。
【００４４】
次に、ＳＴ５０２でＮｏであれば、手動省エネ移行の設定項目が“２”、すなわちスリープであるか否か判定する（ＳＴ５０５）。Ｙｅｓであれば、省エネルギー制御回路８０４は、ＣＰＵ２０１に対して、定着器５０２のヒーターをオフするように指示する（ＳＴ５０６）。ＣＰＵ２０１は、この指示に従って、レーザープリンタ５００に対して定着器５０２のヒーターをオフするように命令する。次にタイマ２０１ａを再スタートし（ＳＴ５０７）、処理を終了する。
【００４５】
ＳＴ５０５でＮｏ、すなわち手動省エネ移行の設定項目が“３”、すなわちオートオフであった場合、図２に示す通信設定において、Ｆ網がオンか否か判定する（ＳＴ５０８）。Ｙｅｓであれば、オートオフモードに移行することなく、処理を終了する。Ｎｏであれば、同じく通信設定において、発信者番号通知がオンか否かに判定する（ＳＴ５０９）。Ｙｅｓであれば、オートオフモードに移行することなく、処理を終了する。一方、Ｎｏであれば、オートオフモードに移行する（ＳＴ５１０）。このオートオフモードでは、省エネルギー制御回路８０４は、まず、定着器５０２のヒーターをオフするようにＣＰＵ２０１に指示し、次に全出力（動作）（例えば、コントロールパネル表示などを含む）をオフし、次いで、直流電源供給制御回路８０３に対して、常時通電系１０２を除く複合機１００の各部への通電を行う省エネ通電系１０１への電源供給を切断することを指示する。
【００４６】
なお、ＳＴ５０８およびＳＴ５０９での通信モード設定においてＦ網がオンか否か、および、発信者番号通知がオンか否かの判定は、この順番で行うことに限定されないことは言うまでもない。また、Ｆ網通信機能を有しない場合にはＳＴ５０９だけ、反対に、発信者番号通知受信機能を有しない場合にはＳＴ５０８だけ行えば足りる。
【００４７】
次に、省エネルギー処理（自動）について説明する。図６は、上記実施の形態に係る複合機における省エネルギー処理（自動）を示すフロー図である。
【００４８】
省エネルギー制御回路８０４は、まず省エネルギーモードへの自動移行禁止の条件１が成立するか否か判定する（ＳＴ６０１）。条件１とは、次の６つの項目のうちいずれか１つが成立している場合をいう。
【００４９】
（１）図３に示す省エネルギーモード設定の「パワーセーブ」、「スリープ」、「オートオフ」のすべての設定項目が“０”（なし）であること、
（２）印刷待ちの文書、ジョブが残っていること、
（３）印刷用紙がないこと、
（４）自動原稿送り機構７０１に原稿があること、
（５）発呼待ちの通信があること、および、
（６）エラーやジャムなどの障害が発生していること。
【００５０】
もし条件１が成立すれば、省エネルギー処理（自動）を終了し、ＳＴ４１２に戻る。一方、条件１が成立しなければ、スリープ移行条件２が成立するか否か判定する（ＳＴ６０２）。条件２とは、次の２つの条件がすべて成立している場合をいう。
【００５１】
（１）現在の省エネルギー状態が「スリープ」状態でないこと、および
（２）タイマ２０１ａが、図３に示すスリープの設定事項で設定された移行時間を超えていること。
【００５２】
Ｙｅｓであれば、省エネルギー制御回路８０４は、ＣＰＵ２０１に対して、定着器５０２のヒーターをオフするように指示する（ＳＴ６０３）。ＣＰＵ２０１は、この指示に従って、レーザープリンタ５００に対して定着器５０２のヒーターをオフするように命令する。
【００５３】
一方、ＳＴ６０２でＮｏであれば、パワーセーブ移行条件３が成立するか否か判定する（ＳＴ６０４）。条件３とは、次の３つの条件のうちいずれか１つが成立している場合をいう。
【００５４】
（１）現在の省エネルギー状態が「スリープ」状態でないこと、
（２）現在の省エネルギー状態が「パワーセーブ」状態でないこと、および
（３）タイマ２０１ａが、図３に示すパワーセーブの設定事項で設定された移行時間を超えていること。
【００５５】
Ｙｅｓであれば、省エネルギー制御回路８０４は、ＣＰＵ２０１に対して、定着器５０２のヒーターを定着温度よりも低い所定の温度（以下、単に低温ともいう）に維持する温度制御に切り換えるように指示する（ＳＴ６０５）。ＣＰＵ２０１は、この指示に従って、レーザープリンタ５００に対して、定着器５０２のヒータ温度を低温で維持するように命令する。
【００５６】
次に、ＳＴ６０４でＮｏであれば、オートオフ移行条件が成立するか否か判定する（ＳＴ６０６）。条件３とは、次のオートオフ移行条件が成立している場合をいう。
【００５７】
（１）タイマ２０１ａが、図３に示すオートオフの設定事項で設定された移行時間を超えていること。
【００５８】
Ｎｏであれば処理を終了する。しかし、Ｙｅｓであれば、図２に示す通信設定において、Ｆ網がオンか否か判定する（ＳＴ６０７）。Ｙｅｓであれば、オートオフモードに移行することなく、処理を終了する。Ｎｏであれば、同じく通信設定において、発信者番号通知がオンか否かに判定する（ＳＴ６０８）。Ｙｅｓであれば、オートオフモードに移行することなく、処理を終了する。一方、Ｎｏであれば、オートオフモードに移行する（ＳＴ６０９）。
【００５９】
なお、ＳＴ６０７およびＳＴ６０８での通信モード設定においてＦ網がオンか否か、および、発信者番号通知がオンか否かの判定は、この順番で行うことに限定されないことは言うまでもない。また、Ｆ網通信機能を有しない場合にはＳＴ６０８だけ、反対に、発信者番号通知受信機能を有しない場合にはＳＴ６０７だけ行えば足りる。
【００６０】
このような省エネルギー処理（手動）および省エネルギー処理（自動）（ＳＴ４１４、ＳＴ４１５）が終了すると、図４中のＳＴ４１２に戻って、省エネルギー状態を解除する条件（以下、解除条件という）が揃ったか否か判定を行う（ＳＴ４１２）。この解除条件とは、次の２つの条件の両方が成立する場合をいう。
【００６１】
（１）現在の省エネルギー状態が「パワーセーブ」または「スリープ」のいずれかの状態であること、および
（２）省エネルギー解除ボタン６０４が押されたこと。
【００６２】
Ｙｅｓであれば、タイマ２０１ａを解除し（ＳＴ４１６）、現在の省エネルギー状態を解除する（ＳＴ４１７）。Ｎｏであれば、動作指示または操作があったか否か判定し（ＳＴ４１３）、Ｙｅｓであれば、タイマ２０１ａを解除し（ＳＴ４１８）、指示された動作または操作を実行し（ＳＴ４１９）、ＳＴ４０５に戻る。
【００６３】
以上説明したように、本実施の形態に係る複合機１００によれば、着呼検出回路３０１での着呼の検出から所定時間内に応答が必要な特定の通信モードが設定されている場合には、図５中のＳＴ５０１で判定する条件Ａや、図６中のＳＴ６０６で判定するオートオフ移行条件が成立しても、オートオフに移行しないこととしたので、この特定の通信モードではＣＰＵ２０１は着呼の検出から所定時間内に必ず応答できるので、応答遅れのために特定の通信モードを実行できないという不都合を回避することができる。
【００６４】
より具体的に説明すると、Ｆ網通信では、着呼から約６秒以内に一次応答する必要がある一方、電源の供給を停止していた場合着呼の検出からＣＰＵ２０１へ電源を供給し、初期設定の確認や初期動作のためのプログラムの立ち上げを行い、さらにその後に通信プログラムを実行することができない。従って、着呼後に約１０秒の時間が必要となるので、電源の供給をオートオフモードに移行すると複合機１００がＦ網通信機能を持っていてもＦ網通信を実行できない。そこで、図５中のＳＴ５０８や図６中のＳＴ６０７において、Ｆ網がＯＮか否か判定しＹｅｓであれば、オートオフモードに移行せずに通信が優先されるので、応答不可のためにＦ網通信を実行できないという不都合を回避することができる。
【００６５】
また、発信者番号通知サービスでは、着呼から約６秒以内に応答する必要がある一方、ＣＰＵ２０１が復旧するのに着呼後に約１０秒の時間が必要となるので、オートオフモードに移行すると複合機１００が発信者番号通知サービスに対応できる機能を備えていても通信を実行できない。そこで、図５中のＳＴ５０９および図６中のＳＴ６０８において、発信者番号通知の設定がオンか否か判定し、オンである場合には、オートオフモードに移行せずに通信が優先されるので、応答不能によって発信者番号通知サービスを使用する通信モードを実行できないという不都合を回避することができる。
【００６６】
また、図５に示すように、特定キー、すなわち省エネルギー移行ボタン６０３が押し下げられた場合に省エネルギーモードに移行する省エネルギー処理（手動）において、特定の通信モードが設定されている場合にはオートオフモードへの移行を強制的に禁止するので、オペレータが省エネルギー移行ボタン６０３を押してもオートオフモードに移行しない。従って、オペレータが特定の通信モードが設定されているか否か確認するまでもなく、装置の方が自動的に判断するので、操作性を向上することができる。
【００６７】
また、図６に示すように、所定の移行時間が経過した場合に省エネルギーモードに自動的に移行する省エネルギー処理（自動）において、特定の通信モードが設定されている場合にはオートオフモードへの移行を強制的に禁止するので、所定時間経過後に自動的にオートオフモードに移行するように設定されていても、特定の通信モードが設定されていれば、オートオフモードに移行せず、通信が優先される。従って、オペレータが特定の通信モードが設定されているか否か確認するまでもなく、オートオフモードへの自動移行を有効に設定しても、装置の方が自動的に判断するので、操作性を向上することができる。
【００６８】
本実施の形態では、特に、一つのＣＰＵ２０１がＦＡＸ機能、コピア機能、プリンタ機能などを集約的に制御している。従って、オートオフモードでは、省エネルギー制御回路８０４を除く全ての制御部が停止しているので、特定の通信モードに対応するための他のＣＰＵや通信用の特別の回路を別に設けることも可能であるが、これでは装置コストの低減および装置の小型化を図ることができない。しかし、本実施の形態のように、着呼検出回路３０１での着呼の検出から所定時間内に応答が必要な特定の通信モードが設定されている場合には、条件が成立しても、オートオフに移行しないこととしたので、他のＣＰＵや通信用の特別の回路を別に設けること必要がなく、装置コストの低減および装置の小型化を達成することができる。
【００６９】
【発明の効果】
以上説明したように、本発明によれば、複合機の電源手段から主制御手段への電源供給を所定の条件下で停止しかつ検知手段が少なくとも回線からの着呼を含む所定の動作を検知したならば電源を供給する省エネルギー制御手段が、通信手段の通信モードが回線からの着呼の検知から所定時間内に応答が必要な特定の通信モードであるならば所定の条件であっても電源供給を停止しないこととした。これにより、着呼の検出から所定時間内に応答が必要な特定の通信モードが設定されている場合には、所定の条件であっても電源供給を停止しないこととしたので、この特定の通信モードでは主制御手段は着呼の検出から所定時間内に通信プログラムを立ち上げて必ず応答できるので、応答遅れのために特定の通信モードを実行できないという不都合を回避することができる効果を奏する。
【図面の簡単な説明】
【図１】本発明の実施の形態に係る複合機の全体構成を示すブロック図
【図２】上記実施の形態に係る複合機における通信に関係するパラメータの設定例を示す図
【図３】上記実施の形態に係る複合機における省エネルギーに関係するパラメータの設定例を示す図
【図４】上記実施の形態に係る複合機における省エネルギー制御を示すフロー図
【図５】上記実施の形態に係る複合機における省エネルギー処理（手動）を示すフロー図
【図６】上記実施の形態に係る複合機における省エネルギー処理（自動）を示すフロー図
【図７】従来の複合機におけるオートオフモード制御のための構成を示すブロック図
【符号の説明】
１００  複合機
１０１  省エネ通電系
１０２  常時通電系
２００  主制御部
２０１  ＣＰＵ
２０１ａ  タイマ
２０２  ＡＤ変換回路
２０３  画像処理回路
２０６  第１周辺制御回路
２０７  第２周辺制御回路
３００  ファクシミリ制御部
３０１  着呼検出回路
３０２  ＤＰ発呼回路
３０３  ＦＡＸモデム
３０４  ＦＡＸ用不揮発メモリ
３０５  アナログアンプ
３０６  スピーカ
３０７  絶縁トランス
４００  フラットベッドスキャナ
４０１  光源
４０２  モーター
４０４  アンプ
４０５  画像信号読取部
４０６  スキャナ制御部
４０７  スキャナ検出部
５００  レーザープリンタ
５０１  プリンタ制御部
５０２  定着器
６００  コントロールパネル
６０１  表示器
６０２  キー入力部
６０３  省エネルギー移行ボタン
６０４  省エネルギー解除ボタン
６０５  電源スイッチ
７００  ＡＤＦ制御部
７０１  自動原稿送り機構
７０２  原稿有無検出回路
８００  省エネ制御部
８０１  交流電源
８０２  直流電源回路
８０３  直流電源供給制御回路
８０４  省エネルギー制御回路
【図１】
0004142851.tif 000002
【図２】
0004142851.tif 000003
【図３】
0004142851.tif 000004
【図４】
0004142851.tif 000005
【図５】
0004142851.tif 000006
【図６】
0004142851.tif 000007
【図７】
0004142851.tif 000008